(57)【要約】【課題】対象項目に対する所望の設定項目に関する設定値の設定に要する労力を軽減することができ、利便性を向上させることができる「設定装置」を提供すること。【解決手段】所定の設定画面１９が表示されたにもかかわらず、設定画面１９を用いた設定項目に関する設定値の設定が一切行われずに、設定画面１９の直前に表示されていた元の画面１８に戻るための入力操作が行われた場合に、他画面設定項目の一覧２２へのショートカット２１を、元の画面１８上に表示すること。【選択図】図４
2010176470.tif 000002
【特許請求の範囲】
【請求項１】
対象機器に対する所定の設定項目に関する設定値の設定に用いられる設定画面を表示部に表示する設定画面表示手段と、
この設定画面表示手段によって表示された前記設定画面に対する入力操作を行う入力操作手段と、
この入力操作手段によって前記設定画面に対して当該設定画面に属する設定項目に関する設定値の設定のための入力操作が行われた場合に、この入力操作に応じた前記設定値の設定を行う設定手段と
を備えた設定装置であって、
前記設定画面表示手段によって所定の設定画面が表示されたにもかかわらず、前記所定の設定画面を用いた前記設定値の設定が一切行われずに、前記所定の設定画面に対して前記入力操作手段によって前記所定の設定画面の直前に表示されていた元の画面に戻るための入力操作が行われた場合に、前記所定の設定画面の属性と同一の属性を有するとみなされる設定項目であって前記所定の設定画面の他の設定画面に属するような設定項目である他画面設定項目の一覧へのショートカットを、前記元の画面上に表示するショートカット表示手段と、
このショートカット表示手段によって表示された前記ショートカットが前記入力操作手段によって操作された場合に、前記他画面設定項目の一覧を、前記入力操作手段による前記他画面設定項目に関する設定値の設定のための入力操作およびこの入力操作に応じた前記設定手段による前記他画面設定項目に関する設定値の設定が可能な状態として表示する一覧表示手段と
を備えたことを特徴とする設定装置。
【請求項２】
前記元の画面は、前記入力操作手段による入力操作にともなって、互いに異なる設定画面に選択的に遷移可能な画面とされており、
前記一覧表示手段は、前記所定の設定画面に対する前記元の画面に戻るための入力操作が、前記互いに異なる設定画面を順次選択的に前記所定の設定画面として表示させるようにして繰り返される場合には、前記他画面設定項目の一覧に示される他画面設定項目を、前記互いに異なる設定画面のうちの前記所定の設定画面として表示されて前記元の画面に戻る操作がなされた複数の設定画面のそれぞれの属性と同一の属性をすべて有するとみなされる他画面設定項目であって、前記複数の設定画面以外の設定画面に属するような他画面設定項目に絞り込むことが可能とされていること
を特徴とする請求項１に記載の設定装置。
【請求項３】
前記所定の設定画面には、複数の設定項目を分類する複数の大項目が前記入力操作手段によって選択可能な状態として表示される第１の画面と、前記複数の設定項目のうちの前記第１の画面において選択された前記大項目に属する一部の設定項目が、その設定値を前記入力操作手段によって設定可能な状態として限定表示される第２の画面とを有する階層構造を持った設定画面が含まれていること
を特徴とする請求項１または請求項２に記載の設定装置。
【請求項４】
前記ショートカット表示手段は、前記ショートカットを前記元の画面上における前記ショートカットの操作以外の操作の妨げとならない位置に表示すること
を特徴とする請求項１乃至請求項３のいずれか１項に記載の設定装置。
【請求項５】
画像表示および音声入出力が可能とされた対象機器における前記画像表示および前記音声入出力に関する種々の設定に用いられること
を特徴とする請求項１乃至請求項４のいずれか１項に記載の設定装置。
【請求項６】
前記対象機器は、車載器とされていること
を特徴とする請求項１乃至請求項５のいずれか１項に記載の設定装置。
【発明の詳細な説明】
【技術分野】
【０００１】
本発明は、設定装置に係り、特に、設定画面を用いて対象機器に対する所望の設定項目に関する設定値の設定を行うのに好適な設定装置に関する。
【背景技術】
【０００２】
従来から、車載器には、ナビゲーション機能やオーディオ再生機能等の複数の機能が搭載されていた。
【０００３】
このような複数の機能を搭載した車載器においては、各機能をユーザにとって好ましい状態として実行させるために、ユーザが車載器に対して各機能に関する設定を行うことが可能とされていた。
【０００４】
すなわち、この種の車載器においては、搭載された各機能についての所定の設定項目に関する設定値の設定に用いられる設定画面をディスプレイに表示した上で、表示された設定画面に対する入力操作に応じて、この設定画面に属する設定項目に関する設定値を設定するようになっていた。
【０００５】
例えば、ナビゲーション機能についての設定に用いられる設定画面としては、経路誘導に関する設定画面を挙げることができるが、このような経路誘導に関する設定画面に対しては、この設定画面に属する設定項目としてのレーンガイド表示の項目を選択した上で、このレーンガイド表示の項目に関する設定値として、レーンガイド表示の有無を設定することが可能とされていた。
【先行技術文献】
【特許文献】
【０００６】
【特許文献１】特開平７−３３６４７７号公報
【特許文献２】特開２００５−２３４８１８号公報
【発明の概要】
【発明が解決しようとする課題】
【０００７】
ところで、最近では、車載器の多機能化にともなって各機能の設定内容も複雑化しており、所望の設定項目がなかなか見つからない場合があった。
【０００８】
しかしながら、このような場合においても、従来は、所望の設定項目が見つかるまでユーザが自らの判断のみを頼りに設定画面を変更する操作を何度も繰り返さなければならず、車載器に対する所望の設定項目に関する設定値の設定のために煩雑な操作を強いられる結果となっていた。
【０００９】
そこで、本発明は、このような点に鑑みなされたものであり、対象機器に対する所望の設定項目に関する設定値の設定に要するユーザの労力を軽減することができ、利便性を向上させることができる設定装置を提供することを目的とするものである。
【課題を解決するための手段】
【００１０】
前述した目的を達成するため、本発明に係る設定装置は、対象機器に対する所定の設定項目に関する設定値の設定に用いられる設定画面を表示部に表示する設定画面表示手段と、この設定画面表示手段によって表示された前記設定画面に対する入力操作を行う入力操作手段と、この入力操作手段によって前記設定画面に対して当該設定画面に属する設定項目に関する設定値の設定のための入力操作が行われた場合に、この入力操作に応じた前記設定値の設定を行う設定手段とを備えた設定装置であって、前記設定画面表示手段によって所定の設定画面が表示されたにもかかわらず、前記所定の設定画面を用いた前記設定値の設定が一切行われずに、前記所定の設定画面に対して前記入力操作手段によって前記所定の設定画面の直前に表示されていた元の画面に戻るための入力操作が行われた場合に、前記所定の設定画面の属性と同一の属性を有するとみなされる設定項目であって前記所定の設定画面の他の設定画面に属するような設定項目である他画面設定項目の一覧へのショートカットを、前記元の画面上に表示するショートカット表示手段と、このショートカット表示手段によって表示された前記ショートカットが前記入力操作手段によって操作された場合に、前記他画面設定項目の一覧を、前記入力操作手段による前記他画面設定項目に関する設定値の設定のための入力操作およびこの入力操作に応じた前記設定手段による前記他画面設定項目に関する設定値の設定が可能な状態として表示する一覧表示手段とを備えたことを特徴としている。
【００１１】
そして、このような構成によれば、ショートカット表示手段によるショートカットの表示によって、ユーザに対して所望の設定項目を見つけるための有力な手懸かりを提供することができるので、対象機器に対する所望の設定項目に関する設定値の設定に要するユーザの労力を軽減することができ、利便性を向上させることができる。
【００１２】
また、前記元の画面は、前記入力操作手段による入力操作にともなって、互いに異なる設定画面に選択的に遷移可能な画面とされており、前記一覧表示手段は、前記所定の設定画面に対する前記元の画面に戻るための入力操作が、前記互いに異なる設定画面を順次選択的に前記所定の設定画面として表示させるようにして繰り返される場合には、前記他画面設定項目の一覧に示される他画面設定項目を、前記互いに異なる設定画面のうちの前記所定の設定画面として表示されて前記元の画面に戻る操作がなされた複数の設定画面のそれぞれの属性と同一の属性をすべて有するとみなされる他画面設定項目であって、前記複数の設定画面以外の設定画面に属するような他画面設定項目に絞り込むことが可能とされていてもよい。
【００１３】
そして、このような構成によれば、ユーザの入力操作を反映したより有効な他画面設定項目の一覧を表示することができる。
【００１４】
さらに、前記所定の設定画面には、複数の設定項目を分類する複数の大項目が前記入力操作手段によって選択可能な状態として表示される第１の画面と、前記複数の設定項目のうちの前記第１の画面において選択された前記大項目に属する一部の設定項目が、その設定値を前記入力操作手段によって設定可能な状態として限定表示される第２の画面とを有する階層構造を持った設定画面が含まれていてもよい。
【００１５】
そして、このような構成によれば、階層構造を持った所定の設定画面を用いた設定値の設定が一切行われずに、当該所定の設定画面に対して元の画面に戻るための入力操作が行われた場合であっても、ショートカット表示手段により、元の画面上にショートカットを確実に表示することができる。
【００１６】
さらにまた、前記ショートカット表示手段は、前記ショートカットを前記元の画面上における前記ショートカットの操作以外の操作の妨げとならない位置に表示することが好ましい。
【００１７】
そして、このような構成によれば、ショートカット表示手段により、ショートカットを画面上の好適な位置に表示することができる。
【００１８】
また、本発明に係る設定装置は、画像表示および音声入出力が可能とされた対象機器における前記画像表示および前記音声入出力に関する種々の設定に用いられるものであってもよい。
【００１９】
そして、このような構成によれば、ショートカット表示手段によるショートカットの表示によって、ユーザに対して画像表示および音声入出力に関する所望の設定項目を見つけるための有力な手懸かりを提供することができる。
【００２０】
さらに、本発明に係る設定装置は、対象機器としての車載器に適用されるものであってもよい。
【００２１】
そして、このような構成によれば、車載器に対する所望の設定項目に関する設定値の設定に要する労力を軽減することができる。
【発明の効果】
【００２２】
本発明によれば、対象機器に対する所望の設定項目に関する設定値の設定に要する労力を軽減することができ、利便性を向上させることができる。
【図面の簡単な説明】
【００２３】
【図１】本発明に係る設定装置の実施形態を示すブロック図
【図２】本発明に係る設定装置の実施形態において、設定メニュー画面の表示状態を示す図
【図３】本発明に係る設定装置の実施形態において、設定装置が設定値の設定の際に参照するデータ構造の一例を示す図
【図４】本発明に係る設定装置の実施形態を示す第１の工程図
【図５】本発明に係る設定装置の実施形態を示す第２の工程図
【発明を実施するための形態】
【００２４】
以下、本発明に係る設定装置の実施形態について、図１乃至図５を参照して説明する。
【００２５】
図１は、本発明に係る設定装置の実施形態として、画像表示および音声入出力が可能とされた対象機器としての車載器に搭載され、この車載器に対する画像表示および音声入出力に関する種々の設定に用いられる車載用の設定装置１を示したものである。
【００２６】
図１に示すように、本実施形態における設定装置１は、設定画面表示手段としての機能を有する画面表示処理部２と、この画面表示処理部２に接続された表示部としてのディスプレイ３とを有している。
【００２７】
画面表示処理部２は、車載器に搭載された機能（例えば、ナビゲーション機能、オーディオ再生機能またはハンズフリー通話機能等）についての所定の設定項目に関する設定値の設定に用いられる設定画面をディスプレイ３に表示可能とされている。
【００２８】
また、画面表示処理部２には、入力操作手段としての入力操作部５が接続されており、ユーザは、この入力操作部５を用いることにより、画面表示処理部２によって表示された設定画面に対する入力操作が可能とされている。
【００２９】
なお、入力操作部５は、ディスプレイ３のタッチパネル、リモコン、車両に固定の操作ボタン、ロータリエンコーダ、リニアエンコーダまたはトラックボール等であってもよい。
【００３０】
さらに、入力操作部５には、設定手段としての設定部７が接続されており、この設定部７は、入力操作部５によってディスプレイ３に表示された設定画面に対してこの設定画面に属する設定項目に関する設定値の設定のための入力操作が行われた場合に、この入力操作に応じた設定値を設定することにより、設定画面を用いた設定値の設定を行うようになっている。
【００３１】
さらにまた、設定部７には、設定装置１とは別個の構成としての車載器機能実行部８が接続されており、この車載器機能実行部８は、設定装置１（設定部７）による設定事項にしたがって車載器に搭載された前記各機能を実行するようになっている。
【００３２】
また、入力操作部５とディスプレイ３との間には、ショートカット表示手段としてのショートカット表示処理部１０が接続されている。
【００３３】
このショートカット表示処理部１０は、画面表示処理部２によって所定の設定画面が表示されたにもかかわらず、当該所定の設定画面を用いた設定値の設定が一切行われずに、当該所定の設定画面に対して入力操作部５によって当該所定の設定画面の直前に表示されていた元の画面に戻るための入力操作（以下、該当入力操作と称する）が行われた場合には、他画面設定項目の一覧へのショートカットを、元の画面上に表示するようになっている。
【００３４】
但し、他画面設定項目とは、前記所定の設定画面の属性と同一の属性を有するとみなされる設定項目であって、当該所定の設定画面の他の設定画面に属するような設定項目のことをいう。このような他画面設定項目は、前記所定の設定画面に属してはいないため、前記所定の設定画面を用いてその設定値を設定することは不可能な項目とされている。
【００３５】
さらに、入力操作部５とディスプレイ３との間には、一覧表示手段としての一覧表示処理部１１が接続されている。この一覧表示処理部１１は、ショートカット表示処理部１０によって表示されたショートカットが入力操作部５によって操作された場合に、他画面設定項目の一覧を、入力操作部５による他画面設定項目に関する設定値の設定のための入力操作およびこの入力操作に応じた設定部７による他画面設定項目に関する設定値の設定が可能な状態としてディスプレイ３に表示するようになっている。
【００３６】
このような構成によれば、ショートカットの表示によって、ユーザに対して所望の設定項目を見つけるための有力な手懸かりを提供することができるので、車載器に対する所望の設定項目に関する設定値の設定に要するユーザの労力を軽減することができ、利便性を向上させることができる。
【００３７】
なお、一覧表示処理部１１は、前記元の画面が入力操作部５による入力操作にともなって互いに異なる設定画面に選択的に遷移可能な画面である場合であって、前記所定の設定画面に対する当該元の画面に戻るための入力操作が、前記互いに異なる設定画面を順次選択的に前記所定の設定画面として表示させるようにして繰り返される場合には、次のようにして他画面設定項目の一覧に示される他画面設定項目を絞り込むようにしてもよい。
【００３８】
すなわち、一覧表示処理部１１は、他画面設定項目を、前記互いに異なる設定画面のうちの前記所定の設定画面として表示されて前記元の画面に戻る操作がなされた複数の設定画面のそれぞれの属性と同一の属性をすべて有するとみなされる他画面設定項目であって、前記複数の設定画面以外の設定画面に属するような他画面設定項目に絞り込むようにする。ただし、このような他画面設定項目が存在する場合に限る。
【００３９】
また、これにともなって、ショートカット表示処理部１０は、他画面設定項目の一覧に含まれる他画面設定項目の属性をショートカット（ロゴ）上に文字表記するなどして、他画面設定項目が絞り込まれていることが外観上識別できるような状態でショートカットを表示するようにすればよい。
【００４０】
このように構成すれば、ユーザの入力操作を反映したより有効な他画面設定項目の一覧を表示することができる。
【００４１】
より好ましい実施形態としては、ショートカット表示処理部１０は、ショートカットを前記元の画面上におけるショートカットの操作以外の操作の妨げとならない位置に表示するようにする。
【００４２】
このように構成すれば、ショートカットを画面上の好適な位置に表示することができる。
【００４３】
また、前記所定の設定画面には、複数の設定項目を分類する複数の大項目が入力操作部５によって選択可能な状態として表示される第１の画面と、前記複数の設定項目のうちの第１の画面において選択された前記大項目に属する一部の設定項目が、その設定値を入力操作部５によって設定可能な状態として限定表示される第２の画面とを有する階層構造を持った設定画面が含まれていてもよい。
【００４４】
次に、本実施形態の作用の一例について、より具体的な例を挙げつつ説明する。
【００４５】
本実施形態においては、まず、画面表示処理部２によって、図２に示すような設定メニュー画面１４をディスプレイ３に表示する。
【００４６】
ここで、設定メニュー画面１４には、設定メニュー項目を示す操作ボタンとして、基本設定に移行するための操作ボタン１５、ナビゲーションに関する設定に移行するための操作ボタン１６およびオーディオに関する設定に移行するための操作ボタン１７が、入力操作部５によって選択的に操作可能な状態として表示されている。
【００４７】
また、図３は、設定メニュー画面１４の各設定メニュー項目と、各設定メニュー項目にそれぞれ属する各設定項目と、各設定項目に関する設定値との関係を示したものである。
【００４８】
設定装置１は、この図３に示すようなデータを図示しない記憶部に予め記憶しておいて、このデータを用いて設定項目に関する設定値の設定ための種々の処理を行うようになっている。
【００４９】
ここで、図３に示すように、各設定メニュー項目には、それぞれに対応する設定項目が小項目として属しており、各小項目は、複数の大項目に分類されている。
【００５０】
なお、図３において、各設定メニュー項目のうち、ナビゲーションに関する設定についてのメニュー項目には、このメニュー項目の属性がデータ上においてナビゲーションであるとみなされていることを示す「Ｎ」の文字が表記されたマークが付記されている。
【００５１】
また、図３において、オーディオに関する設定についてのメニュー項目には、このメニュー項目の属性がデータ上においてオーディオであるとみなされていることを示す「音」の文字が表記されたマークが付記されている。
【００５２】
さらに、図３において、基本設定（基本）のメニュー項目に属する大項目の１つとしての表示の項目の欄には、この大項目の属性がデータ上において表示であるとみなされていることを示す「表示」の文字が表記されたマークが付記されている。
【００５３】
また、小項目の中には、他画面設定項目として適用される項目もあり、そのような小項目には、図３における最右欄に他画面設定項目としての属性が追記されている。
【００５４】
そして、この図３に示すようなデータ構造が形成されていることを前提として、設定メニュー画面１４において基本設定に移行するための操作ボタン１５が操作されると、図４のステップ１（ＳＴ１）に示すように、図３における基本設定のメニュー項目に属する大項目が入力操作部５によって選択可能な状態として表示された画面（以下、基本設定画面と称する）１８が、画面表示処理部２によって表示される。
【００５５】
次いで、基本設定画面１８に対して大項目の１つとしての表示の項目を選択する操作が行われると、図４のステップ２（ＳＴ２）に示すように、図３における表示の項目に属する小項目がその設定値を入力操作部５によって設定可能な状態として表示された画面（以下、表示設定画面と称する）１９が、画面表示処理部２によって表示される。この表示設定画面１９は、図３における表示の項目を反映して生成されたものであるため、その属性は表示となる。
【００５６】
次いで、この表示設定画面１９に属する小項目に関する設定値の設定が一切行われずに、表示設定画面１９上の戻るボタン１９Ａが入力操作部５によって操作されると、この操作がショートカット表示処理部１０によって該当入力操作とみなされた上で、図４のステップ３（ＳＴ３）に示すような画面２０が表示される。
【００５７】
この画面２０は、元の画面としての基本設定画面１８上に、ショートカット表示処理部１０によって表示に関する他画面設定項目の一覧へのショートカット２１が表示された画面２０となっている。ここで、表示に関する他画面設定項目とは、所定の設定画面としての表示設定画面１９の属性（すなわち、図３に示した表示の項目の属性である表示）と同一の属性（表示）を有するとみなされる設定項目であって、表示設定画面１９の他の設定画面に属するような設定項目のことをいう。図３においては、図３の最右欄に追記された属性に示すように、ナビゲーションに関する設定に属する小項目のうち、地図色、自車マーク、言語設定、レーンガイド表示、ガイド線表示および割り込み表示の各小項目が、表示に関する他画面設定項目となる。
【００５８】
なお、図４のステップ３（ＳＴ３）において、ショートカット２１は、基本設定画面１８に対するシステムの項目の選択や操作の項目の選択等のショートカット２１の操作以外の操作を妨げない位置に表示されている。
【００５９】
次いで、図４のステップ３（ＳＴ３）の画面２０に対して、入力操作部５によるショートカット２１の操作が行われると、図４のステップ４（ＳＴ４）に示すように、表示に関する他画面設定項目の一覧２２が、一覧表示処理部１１によって表示される。ユーザは、この一覧２２において、所望の他画面設定項目を入力操作部５を用いて選択することによって、選択された他画面設定項目に関する設定値を設定することができる。
【００６０】
また、このような図４の各工程以外にも、例えば、図５のステップ１１（ＳＴ１１）に示すように、設定メニュー画面１４においてオーディオに関する設定に移行するための操作ボタン１７が操作されると、図５のステップ１２（ＳＴ１２）に示すように、図３におけるオーディオに関する設定のメニュー項目に属する大項目が入力操作部５によって選択可能な状態として表示された画面（以下、オーディオ設定画面と称する）２４が、画面表示処理部２によって表示される。このオーディオ設定画面２４は、図３の設定メニュー項目におけるオーディオに関する設定のメニュー項目を反映して生成されたものであるため、その属性はオーディオとなる。
【００６１】
次いで、オーディオ設定画面２４に属する大項目の選択が行われずにオーディオ設定画面２４上の戻るボタン２４Ａが入力操作部５によって操作されると、この操作がショートカット表示処理部１０によって該当入力操作とみなされた上で、図５のステップ１３（ＳＴ１３）に示すような画面２５が表示される。
【００６２】
この画面２５は、元の画面としての設定メニュー画面１４上に、ショートカット表示処理部１０によってオーディオに関する他画面設定項目の一覧へのショートカット２６が表示された画面２５となっている。ここで、オーディオに関する他画面設定項目とは、所定の設定画面としてのオーディオ設定画面２４の属性（すなわち、オーディオ）と同一の属性を有するとみなされる設定項目であって、オーディオ設定画面２４の他の設定画面に属するような設定項目のことをいう。図３においては、図３の最右欄に追記された属性に示すように、基本設定に属する大項目におけるシステムの項目（換言すれば、システム用の設定画面）に属する小項目のうち、外部接続ソース音声レベル、通話音声レベルおよびリア音声出力の各項目が、また、基本設定に属する大項目における操作の項目（換言すれば、操作用の設定画面）に属する小項目のうちの操作音量の項目が、それぞれオーディオに関する他画面設定項目となる。さらに、ナビゲーションに関する設定に属する大項目における案内／誘導の項目に属する小項目のうち、踏切警告、事故警告、予測時刻音声案内およびガイド音声の各項目も、オーディオに関する他画面設定項目となる。
【００６３】
このようなステップ１３（ＳＴ１３）に示す画面２５は、図５のステップ１２’（ＳＴ１２’）の工程を経る場合においても表示されることになる。すなわち、図５のステップ１２（ＳＴ１２）において、例えば、オーディオ設定画面２４に属する大項目のうちのサウンドチューニングの項目が選択されると、図５のステップ１２’（ＳＴ１２’）に示すように、図３におけるサウンドチューニングの項目に属する小項目がその設定値を入力操作部５によって設定可能な状態として表示された画面（以下、サウンドチューニング設定画面と称する）２８が、画面表示処理部２によって表示される。しかし、このようにサウンドチューニング設定画面２８に対してその小項目の設定値の設定が一切行われずにサウンドチューニング設定画面２８上の戻るボタン２８Ａが入力操作部５によって操作され、この操作によって戻ったオーディオ設定画面２４においてさらに戻るボタン２４Ａが操作された場合には、これら一連の操作がショートカット表示処理部１０によって該当入力操作であるとみなされることになる。なお、この場合には、第１の画面としてのオーディオ設定画面２４と、第２の画面としてのサウンドチューニング設定画面２８とを有する階層構造を持った所定の設定画面を用いた設定値の設定が行われなかったとみなされることになる。そして、この場合にも、図５のステップ１３（ＳＴ１３）のようなショートカット２６を含む画面が表示されることになる。
【００６４】
次いで、図５のステップ１３（ＳＴ１３）の画面２５に対して、入力操作部５によるショートカット２６の操作が行われると、図５のステップ１４（ＳＴ１４）に示すように、オーディオに関する他画面設定項目の一覧２９が、一覧表示処理部１１によって表示される。ユーザは、この一覧２９において、所望の他画面設定項目を入力操作部５を用いて選択することによって、選択された他画面設定項目に関する設定値を設定することができる。
【００６５】
以上述べたように、本実施形態によれば、ショートカット表示処理部１０によるショートカット２１，２６の表示によって、ユーザに対して所望の設定項目を見つけるための有力な手懸かりを提供することができるので、設定項目に関する設定に要するユーザの労力を軽減することができ、利便性を向上させることができる。
【００６６】
なお、本発明は、前述した実施の形態に限定されるものではなく、必要に応じて種々の変更が可能である。
【００６７】
例えば、本発明は、車載器以外の画像表示および音声入出力が可能とされた対象機器に適用するようにしてもよい。
【００６８】
また、画像表示処理部２、設定部７、ショートカット表示処理部１０および一覧表示処理部１１の各構成部は、これら各構成部の機能をプログラムに基づいて実行するＣＰＵであってもよい。
【符号の説明】
【００６９】
１  設定装置
２  画面表示処理部
３  ディスプレイ
５  入力操作部
７  設定部
１０  ショートカット表示処理部
１１  一覧表示処理部
１９  表示設定画面
【図１】
2010176470.tif 000003
【図２】
2010176470.tif 000004
【図３】
2010176470.tif 000005
【図４】
2010176470.tif 000006
【図５】
2010176470.tif 000007